(57)【要約】ブラシ製品の製造方法において、プラスチック材料の個々の剛毛または組合されて群になった剛毛が、所定の配置で支持体に取付けられて所望の剛毛組を形成し、所定の配置または取付けられた剛毛組にある剛毛の少なくとも一部には、レーザ放射を用い非接触の態様で、好ましくは規則的な構造体が与えられる。この発明はさらに、レーザ放射で剛毛の自由な端部を非接触で短くして、再現性のある態様で、剛毛組の外側およびその上に、洗浄作用を助ける構造体をもたらすことを提案する。【特許請求の範囲】
【請求項１】
個々の剛毛（３）または組合されて群（９）になった剛毛（３）を、所定の配置で支持体（２）に取付けて所望の剛毛組を形成することで、ブラシ製品（１）を製造するための方法であって、剛毛組の剛毛のうち少なくとも或る部分にある包囲面は処理により構造化され、前記方法は、所定の配置で、または取付けられた剛毛組（４）で、剛毛（３）のうち少なくとも或る部分が、レーザ放射を用い非接触の態様で構造化されることを特徴とする、方法。
【請求項２】
剛毛が規則的な構造体を有することを特徴とする、請求項１に記載の方法。
【請求項３】
個々の剛毛または組合されて組になった剛毛を、所定の配置で支持体上に取付けて所望の剛毛組を形成することで、ブラシ製品を製造するための方法であって、剛毛のうち少なくとも或る部分についての自由な端部は、特に請求項１に従い処理により短くされ、前記方法は、所定の配置で、または取付けられた剛毛組で、剛毛（３）の自由な端部がレーザ放射を用い非接触の態様で短くされることを特徴とする、方法。
【請求項４】
剛毛（３）の自由な端部が、レーザ処理によって熱負荷で丸くされることを特徴とする、請求項３に記載の方法。
【請求項５】
剛毛（３）の包囲面が輪郭付けられること、または、前記剛毛の自由な端部が、プラスチック材料の熱分解による材料摩耗によって短くされることを特徴とする、請求項１から４のいずれかに記載の方法。
【請求項６】
剛毛（３）の包囲面が、プラスチック材料の発泡により構造化されることを特徴とする、請求項１から５のいずれかに記載の方法。
【請求項７】
少なくとも１つの中心部と、前記中心部を同心円状に取囲む包囲面とを有する２構成要素剛毛において、包囲面のみがレーザ放射で構造化されることを特徴とする、請求項１から６のいずれかに記載の方法。
【請求項８】
包囲面が、包囲面材料の局部的な除去により中心部へと構造化されることを特徴とする、請求項７に記載の方法。
【請求項９】
剛毛包囲面の構造体が、剛毛断面のおよそ１０％の深さまで延びることを特徴とする、請求項１から８のいずれかに記載の方法。
【請求項１０】
所定の配置または取付けられた剛毛組の表面にある線（７、８、９、１３、１４、１５）に実質的に沿って配置された剛毛（３）の自由な端部を短くすることを特徴とする、請求項１から９のいずれかに記載の方法。
【請求項１１】
隣り合う剛毛（３）の自由な端部が、剛毛端部の段状の包囲面の表面（６）を形成するよう短くされることを特徴とする、請求項１から１０のいずれかに記載の方法。
【請求項１２】
剛毛（３）の個々の群（６）の自由な端部が短くされることを特徴とする、請求項１から１１のいずれかに記載の方法。
【請求項１３】
剛毛（３）の個々の群（１０、１１）の剛毛（３）の自由な端部が、平面でない包囲面の表面を形成するよう短くされることを特徴とする、請求項１から１２のいずれかに記載の方法。
【請求項１４】
所定の配置または取付けられた剛毛組で、外側の剛毛の包囲面のみが構造化されることを特徴とする、請求項１から１３のいずれかに記載の方法。
【請求項１５】
所定の配置または取付けられた剛毛組で、内側に配置された剛毛が、剛毛を分離および横方向に反らすことにより露出され、かつ前記剛毛の包囲面が構造化されることを特徴とする、請求項１から１４のいずれかに記載の方法。
【請求項１６】
レーザ放射を吸収する充填剤を有する剛毛（３）が、ブラシ製品を製造するのに用いられることを特徴とする、請求項１から１５のいずれかに記載の方法。
【請求項１７】
レーザ処理の際にもたらされる構造体（５）がプラスチック材料の色づけで視覚化されることを特徴とする、請求項１から１６のいずれかに記載の方法。
【請求項１８】
レーザ処理の際にもたらされる構造体（５）が、レーザ放射に反応して色を変える、剛毛（３）のプラスチック材料にある充填剤で視覚化されることを特徴とする、請求項１から１６のいずれかに記載の方法。
【発明の詳細な説明】
【０００１】
【発明の属する技術分野】
この発明は、個々の剛毛または組合せられて群になった剛毛を、所定の配置で支持体上に取付けて所望の剛毛組を形成することにより、ブラシ製品を製造するための方法であって、少なくとも剛毛組の剛毛のうち一部についての包囲面が構造体を受取るよう処理される、方法に関する。
【０００２】
この発明はさらに、個々の剛毛または組合せられて群になった剛毛を、所定の配置で支持体上に取付けて所望の剛毛組を形成することにより、ブラシ製品を製造するための方法であって、剛毛のうち少なくとも一部についての自由な端部が短くされる、方法に関する。
【０００３】
【従来の技術】
一般にブラシ製品は、程度の差はあれ規則的な剛毛の組からなり、これを形成する剛毛は滑らかな包囲面の表面を有し、ここで剛毛の自由な端部は、平坦、連続的に湾曲、または不連続的に湾曲した包囲面の表面にある。剛毛端部の主な目的は、表面の機械的作用による洗浄、研削または研磨であり、一方で剛毛の包囲面の主な効果は拭い取りである。剛毛組内に複数の剛毛を設ける必要性は実質的に、効果的な、主に平面の洗浄に対する需要から生じる。ブラシをかける際には剛毛組のうち外側の剛毛の包囲面のみが実質的に効果的であり、内側の剛毛は単に、それ自体の間で剛毛を支持し、さらに塗布媒体、または剛毛間の狭い隙間におけるブラシがけの効果に必要な媒体を保持する追加的な役割を果たす。
【０００４】
ブラシがけの際に実行される洗浄、研磨または研削プロセスに剛毛包囲面をも含めるための多くの試みがなされており、これはたとえば、ブラシ製品の製造後に機械的な材料摩耗により剛毛組の外側の剛毛を構造化することにより行われる（ＵＳ５，６７８，２７５）。この種の処理では満足のできる結果はもたらされない。具体的には、位置決めされ幾何学的に定められた構造体を申し分なく製作することができず、それは剛毛がその可撓性のため反ってしまい、この可撓性も、剛毛組内の位置と、支持体上の取付点からの隔たりとに依存して異なってくるからである。
【０００５】
さらに出願者は、剛毛の製造に用いられる押出モノフィラメントをモノフィラメント包囲面のレーザ処理で構造化することを提案している（ＷＯ９９／６６１１１）。この後モノフィラメントは組合されてストランドになり、ストランドの剛毛は所望の長さとなるよう切断される。モノフィラメントは、組合せられてストランドとなる際に互いに対し軸方向にずれるため、組合せられて剛毛組となった剛毛に対し、局部的に定められた構造体をもたらすことができない。加えて、構造化されたためいくらか粗くなっている剛毛では、従来のやり方で束などの群に分ける際に問題が生じる。このため、束にある剛毛の数が大きく変動することになる。この方法ではまた、剛毛が最も効果的である剛毛組の外側の領域にのみ、構造化された剛毛を配置することができない。構造化された剛毛であって内側に配置されたものの効果は、外側に比べて少なく、または全くないことすらある。こうしてモノフィラメント処理の際に不必要な過度の量の材料が構造化され、ことによると弱くなってしまう。さらにモノフィラメントの製造中の製作プロセスはレーザ処理のため遅くなる。
【０００６】
平面の剛毛表面（自由な剛毛端部の包囲面の表面）では、多くの用途、特に歯ブラシにおいて十分な洗浄が可能ではないことが既に知られている。歯ブラシの場合、このような剛毛組の剛毛は歯の不規則的な湾曲に正しく従わない。歯間空間もまたその大部分が手付かずのまま残る。このため、極めて多様な剛毛組「トポグラフィ」を有する歯ブラシが提案されてきた。これらトポグラフィは一般に、剛毛端部上のプラスチック材料を後で機械的に摩耗すること、たとえば剛毛を切断することによりもたらされるが（ＵＳ２，２２７，１２６、ＤＥ１９８　３２　４３６、ＥＰ０　７３６　２７０）、ここでの機械的研削または切断処理はかなり手間のかかるものである。変形の可能性も極めて限られている。支持体への取付前に剛毛を相互に軸方向にずらせば（ＥＰ０　３４６　６４６）より良好な結果がもたらされ、理論的にはどのような「トポグラフィ」も生産可能である。この方法では、支持体に剛毛を取付ける前に追加的な処理ステップが必要である。次にトポグラフィを有する剛毛を正しい位置に保持し、この後剛毛支持体と接続することになる。
【０００７】
【発明が解決しようとする課題】
この発明の基礎となっている目的は、ブラシ製品を製造すための方法であって、剛毛支持体への取付前または取付後に、再現性がある任意の態様で、剛毛包囲面を構造化することを可能にする方法を提供することである。さらに剛毛端部は、所望の再現性がある任意の剛毛端部包囲面の表面を形成するよう短くされ得る。
【０００８】
【課題を解決するための手段】
この発明の課題のうち前半部分は、所定の配置で、または取付けられた剛毛組で、少なくとも剛毛の一部をレーザ放射により非接触で構造化することにより達成される。
【０００９】
従来から（ＤＥ１９８　２９　９４３）、仕上がった剛毛組にレーザ放射で印を付け、摩損の表示としている。ここでは剛毛材料自体は除去されず、構造化は含まれない。
【００１０】
現代のレーザ技術は、レーザ放射の作用を正確に位置付け、個々の点または線など極めて小さな表面に対し効果を集中させることを可能にしている。さらに処理すべき材料に適合させることも可能であり、材料に依存して深さの正確な調節が可能である。したがってこの発明に従うレーザエネルギの使用により、ここで生じる、剛毛組の剛毛の包囲面上の好ましくは幾何学的な配置の構造体を定め規則化することが可能となり、ここで構造体の機械的効果はレーザ放射の深さを精密に制御することで影響され得る。この方法は非接触の態様で実施されるため、剛毛が可撓性であっても、再現性のある構造体をもたらすことができる。これは特にプラスチックの剛毛について当てはまるが、この発明はこの材料に限定されない。レーザ技術ではさらに、使用目的に対し構造体の種類および配置を調節することが可能である。これら構造体により洗浄媒体または塗布媒体を受入れる能力が向上し、構造体の表面が滑らかであるためこれら洗浄媒体または塗布媒体を難なく分配し、容易にすすぎ落とすことができる。
【００１１】
これら構造体はさらに、歯ブラシおよび身体用ブラシではマッサージ効果を、および、剛毛が研磨材料を含んでいる工業用ブラシでは、構造化された端縁の研磨効果を向上させる。
【００１２】
この発明の方法は、レーザ放射を用い剛毛の自由な端部を非接触で短くすることにより剛毛組「トポグラフィ」を形成するのに用いられ得る。
【００１３】
この発明に従う方法は、剛毛配置または剛毛組の表面に極めて細かい構造体、たとえば点状または線状の窪みなどをもたらすことを可能にし、この結果として包囲面の表面は任意の所望の種類の段を有し、こうしてブラシがけの際に追加的な削り効果または引っかき効果を提供する。
【００１４】
或る好ましい実施例では、レーザ処理で引起こされる熱負荷により剛毛の自由な端部を丸くするようレーザ源を制御する。構造化は実質的に、導入されるレーザエネルギによるプラスチック材料の蒸発またはガス化でもたらされるが、驚くべきことに、自由な剛毛端部での剛毛を短くする際、剛毛端部は有利に円蓋のように丸くされることがわかった。この原因は、モノフィラメント製造によって線状の配向を有するようになった剛毛の分子が、レーザ放射の作用の場所で熱負荷を受け、こうして分子がその無秩序で絡み合った状態へ配向付けられるためであると考えられる。
【００１５】
レーザ源はまた、それぞれの材料、好ましくはプラスチック材料に依存して設計され、こうしてプラスチック材料の熱分解によって材料を除去して剛毛包囲面を輪郭付ける。蒸発およびガス化プロセスはやはり材料除去を引起こす。これは、すべての機械的処理方法と比較すると、構造体がすり減らないという利点を有する。すり減りは、ブラシ製品の使用中に材料が失われることにつながり、歯ブラシなどの衛生ブラシで特に問題を引起こすおそれがある。塗布ブラシの場合には、このようなすり減りのため異物の混入が起こり、この結果塗布層が不揃いになる。機械的処理の際、除去された材料の残留物は常に剛毛上に残ることになり、このため後に洗浄プロセスを行なう必要があるが、これが１００％うまく行くと保証されているわけではない。この発明の方法はさらにこの洗浄の必要性も回避する。
【００１６】
この発明の方法のさらなる実施例に従うと、剛毛包囲面はプラスチック材料の発泡により構造化される。応用的な実験において、プラスチック材料はレーザ処理によって泡立ち、平坦でない剛毛包囲面の表面を形成することが示されている。この発泡は、充填剤、レーザ誘導などで制御され得る。
【００１７】
中心部および包囲面からなる、構成要素が２つまたは多数のブラシが公知である。これらは特に摩損表示に用いられ、ここで中心部および包囲面は異なった色を有する。最初はただ１つの色を有する剛毛は、剛毛端部の摩損が増加するにつれて異なった色を示し、こうして摩損の程度を表示する。この発明の一実施例では、このような剛毛を有するブラシ製品では包囲面のみがレーザ放射で構造化されることが規定される。ここで、包囲面材料の局部的除去により包囲面を中心部まで構造化することが可能である。
【００１８】
剛毛の断面および選択されたプラスチック材料により定められる特性が、後に構造化を行なった結果不利に変化することを防ぐために、この発明では、剛毛の包囲面構造体は剛毛の断面の１０％以下の深さまでしか延びないことが規定される。剛毛組内の構造体の深さおよび局部的配置は、個々の剛毛および剛毛組全体の静的特性が所望の程度に維持されるよう選択され得る。
【００１９】
「トポグラフィ」の製造の際、剛毛の自由な端部は実質的に線状パターンで短くされ得る。「トポグラフィ」にとって最適な効果を得るために、この線状のパターンはそれぞれのブラシ製品において普通である運動の方向に適合され得る。
【００２０】
さらに、隣り合う剛毛の自由な端部は、段状の包囲面の表面を形成するよう短くされ得る。
【００２１】
ただいくつかの剛毛群の自由な端部をレーザ放射で短くすることが可能である。さらに、１つの個別の剛毛群にある剛毛の自由な端部を、たとえば束の端部を錘状にするなど平面でない包囲面の表面を形成するように短くすることも可能である。
【００２２】
上述のように、この発明の方法は用意された剛毛配置で、または取付けられた剛毛組に対し実行され得る。ここで、外側に配置された剛毛の包囲面のみが構造化され得る。これに代えて、またはこれに加え、内側に配置された剛毛は、剛毛を分離および横方向に反らすことで露出され（ＤＥ１９８　３２　４３６、ＥＰ０　７６３　２７０）、こうしてその包囲面の構造化を可能にできる。
【００２３】
剛毛に用いられ得る複数のプラスチック材料の構造化を制御するためにレーザ放射を用いることができるが、用いられる剛毛は、レーザ放射を吸収する充填剤を有することによって、構造化の制御をより容易および精密にすることが有利であろう。充填剤を与えるのは、包囲面付近など或る剛毛の断面領域か、または、輪郭付けられた断面を有する剛毛については外側の輪郭付けられた領域においてのみである。これによって、ブラシがけの際特に集約的な機械的作用が得られ、これは特に、多角形の断面にある多角形の端縁の領域におけるこの発明の構造化に関して当てはまる。
【００２４】
最後に、レーザ処理の際にもたらされる構造化は、同時に行なわれるプラスチック材料の色づけで視覚化され得る。これに代えて、またはこれに加え、レーザ処理の際に生じる構造体は、レーザ放射に反応してその色を変える、剛毛のプラスチック材料に含まれる充填剤で視覚化され得る。
【００２５】
【発明の実施の形態】
以下、図面に示すいくつかの実施例との関連でこの発明を記載する。
【００２６】
図面において、断面図で示す歯ブラシ１の頭部２は剛毛３の支持体を形成し、剛毛は図１から図１２の実施例ではすべて支持体２上に直立して個々に取付けられ、こうして剛毛組４は、中間に狭い隙間を定める比較的密な一掴みの剛毛からなる。図１の実施例では、平行線の形状の構造体５は、レーザ放射で剛毛包囲面から材料を取除くことにより形成されている。図１に従う構造化は、いわゆる赤白色分け歯磨き方法（ｒｅｄ−ｗｈｉｔｅ ｃｌｅａｎｉｎｇ ｍｅｔｈｏｄ）に対し特に良好な効果をもたらす。
【００２７】
やはり個々の直立剛毛３の剛毛組４を示す図２の実施例では、波線の形の構造体５がレーザ放射で与えられ、その幅は図１と比較して小さい。
【００２８】
図３の実施例では、剛毛組４の外側の剛毛にある構造体５は傾斜ハッチングの形で与えられ、図４の実施例では交差ハッチングの形で与えられる。図２から図４の実施例はどの歯磨き方法にも好適である。
【００２９】
図５の実施例は、円形の平面の窪みの形である、外側の剛毛の構造体５を示し、図６は円形の線の構造体５を示す。
【００３０】
図７の実施例では、剛毛組４の剛毛３は異なった長さを有し、すなわちブラシ頭部２の前端の領域で剛毛組の残りの領域と比べて長く、こうして前部領域に１つの段がある「トポグラフィ」が形成される。図１と類似の態様で、構造体５がこの前部領域でのみ外部の剛毛の包囲面に与えられる。
【００３１】
図８の実施例で剛毛組４は、剛毛３のうち一方の部分で端部が一平面上にあり、剛毛のうち他方の部分で、端部が個々の群６に分割されて剛毛支持体２よりも高い平面にある、「トポグラフィ」を有する。この実施例では、群６の突き出た剛毛にのみ線状の構造体が与えられる。
【００３２】
図９から図１１の各々は、剛毛組４を有する歯ブラシ頭部２の、剛毛３の自由な端部を見た上面図を示す。剛毛組４の外側の輪郭は歯ブラシ頭部２の輪郭にほぼ従う。図９の実施例では、剛毛は剛毛頭部の前端の領域、すなわち多角形の同心線７に沿ってのみレーザ放射で短くされる。図１０の実施例では、剛毛３は規則的な交差ハッチングのパターンで短くされ、図１１に従う実施例では線９に沿って短くされる。
【００３３】
図１２は歯ブラシ頭部２の斜視図を示し、ここで外部の剛毛の包囲面は平行線の構造体５を有する。剛毛はまた、交差ハッチングの態様で頭部の前端の領域で短くされる。
【００３４】
図１３の実施例では、剛毛組４は丸い束として形成された剛毛の群９からなる。ブラシ頭部２の前部領域は群１０および群１１を有し、自由な剛毛端部は、群１０と群１１との自由な端部が異なった円錐先細りを有するように、レーザ放射で異なった長さに切ってある。円錐表面上に配置された剛毛の包囲面を構造化することもまた可能である。
【００３５】
図１４の実施例では、剛毛組１はやはり円筒形の束の形にある剛毛の群９からなり、一方で個々の直立剛毛の群１２は剛毛頭部の前部領域に配置される。この実施例では、群１２の剛毛３のみが、互いに対し平行に延びる線状の構造体５を有する。
【００３６】
図１５から図１７は、特に電動歯ブラシで用いられる、頭部が丸いブラシの剛毛組４の上面図を示す。図１５に従うと、剛毛３は同心の輪１３に沿って短くされ、図１６に従う実施例では、剛毛３は螺旋トポグラフィをもたらすよう短くされる。図１７に従う実施例では、剛毛は輻射状１５の態様で短くされる。図１６および図１７の実施例は特に、ブラシ頭部がその中心軸について回転する際に自由な剛毛端部の作用を向上させる。
【００３７】
図１８は、図１３および図１４と類似の歯ブラシ頭部２を示し、その剛毛組４は、丸い束として形成された剛毛の組９を含み、剛毛群１２が前端に配置される。前部の剛毛群１２は、星状に配置された個々の剛毛帯状部からなり、個々の帯状部は、剛毛軸に対し実質的に垂直に配置された平行の構造体５を有する。
【００３８】
図１９から図２１に従う実施例では、レーザ放射によって剛毛組４の外部の剛毛の包囲面上にもたらされた個々の構造体５は不規則であるが、剛毛組の側部表面全体にわたり、規則的に配置された統計学的分布を有する。
【００３９】
個々に直立する剛毛の場合、特にこれがより大きい直径を有する場合でも、剛毛組全体またはこのような組にある剛毛群との関連で上述したのと同じ態様で剛毛の包囲面を構造化できる。図２２の実施例では、剛毛３の包囲面は傾斜した構造体５を有し、図２３の実施例はジグザグの線構造体５を有する。図２４に示すように、交差ハッチングで剛毛３を構造化することもできる。
【００４０】
図２５は円筒形の担体１を有する円形ブラシを示し、これはたとえば頭髪用ブラシ、工業用ブラシなどの頭部であり得る。放射状の円筒形ブラシ群１６が支持体１に取付けられ、その自由な端部は平行の構造体５を有する。
【図面の簡単な説明】
【図１】或る構造体が剛毛包囲面にある歯ブラシ頭部を示す側面図である。
【図２】或る構造体が剛毛包囲面にある歯ブラシ頭部を示す側面図である。
【図３】或る構造体が剛毛包囲面にある歯ブラシ頭部を示す側面図である。
【図４】或る構造体が剛毛包囲面にある歯ブラシ頭部を示す側面図である。
【図５】或る構造体が剛毛包囲面にある歯ブラシ頭部を示す側面図である。
【図６】或る構造体が剛毛包囲面にある歯ブラシ頭部を示す側面図である。
【図７】或る構造体が剛毛包囲面にある歯ブラシ頭部を示す側面図である。
【図８】剛毛端部トポグラフィを有する歯ブラシ頭部を示す側面図である。
【図９】或る線状トポグラフィを有する歯ブラシ頭部を示す上面図である。
【図１０】或る線状トポグラフィを有する歯ブラシ頭部を示す上面図である。
【図１１】或る線状トポグラフィを有する歯ブラシ頭部を示す上面図である。
【図１２】或る構造体または「トポグラフィ」を有する歯ブラシ頭部を示す斜視図である。
【図１３】或る構造体または「トポグラフィ」を有する歯ブラシ頭部を示す斜視図である。
【図１４】或る構造体または「トポグラフィ」を有する歯ブラシ頭部を示す斜視図である。
【図１５】或る「トポグラフィ」を有する、電動歯ブラシ用の取替可能頭部の剛毛組を示す上面図である。
【図１６】或る「トポグラフィ」を有する、電動歯ブラシ用の取替可能頭部の剛毛組を示す上面図である。
【図１７】或る「トポグラフィ」を有する、電動歯ブラシ用の取替可能頭部の剛毛組を示す上面図である。
【図１８】図１３および図１４に対応する別の実施例を示す図である。
【図１９】図１から図８までの実施例の或る変形例を示す図である。
【図２０】図１から図８までの実施例の或る変形例を示す図である。
【図２１】図１から図８までの実施例の或る変形例を示す図である。
【図２２】或る構造化された個々の剛毛を示す図である。
【図２３】或る構造化された個々の剛毛を示す図である。
【図２４】或る構造化された個々の剛毛を示す図である。
【図２５】円形の剛毛を示す斜視図である。
【国際公開パンフレット】
2004508863.tif 000002
2004508863.tif 000003
2004508863.tif 000004
2004508863.tif 000005
2004508863.tif 000006
2004508863.tif 000007
2004508863.tif 000008
2004508863.tif 000009
2004508863.tif 000010
2004508863.tif 000011
2004508863.tif 000012
2004508863.tif 000013
2004508863.tif 000014
2004508863.tif 000015
2004508863.tif 000016
2004508863.tif 000017
2004508863.tif 000018
2004508863.tif 000019
2004508863.tif 000020
2004508863.tif 000021
2004508863.tif 000022
2004508863.tif 000023
2004508863.tif 000024
2004508863.tif 000025
【手続補正書】
【提出日】平成14年8月24日(2002.8.24)
【手続補正１】
【補正対象書類名】明細書
【補正対象項目名】特許請求の範囲
【補正方法】変更
【補正の内容】
【特許請求の範囲】
【請求項１】
個々の剛毛（３）または組合されて群（９）になった剛毛（３）を、所定の配置で支持体（２）に取付けて所望の剛毛組を形成することで、ブラシ製品（１）を製造するための方法であって、剛毛組の剛毛のうち少なくとも或る部分がレーザ放射で処理され、前記方法は、所定の配置で、または取付けられた剛毛組（４）で、剛毛（３）のうち少なくとも或る部分についての包囲面が、レーザ放射を用い非接触で構造化されることを特徴とする、方法。
【請求項２】
剛毛が規則的な構造体を有することを特徴とする、請求項１に記載の方法。
【請求項３】
剛毛のうち少なくとも或る部分についての自由な端部が、所定の配置で、または取付けられた剛毛組で、レーザ放射を用い非接触の態様で剛毛（３）の自由な端部にある材料を除去することで短くされることを特徴とする、請求項１または２に記載の方法。
【請求項４】
剛毛（３）の自由な端部が、レーザ処理によって熱負荷で丸くされることを特徴とする、請求項３に記載の方法。
【請求項５】
剛毛（３）の包囲面が輪郭付けられること、または、前記剛毛の自由な端部が、プラスチック材料の熱分解による材料摩耗によって短くされることを特徴とする、請求項１から４のいずれかに記載の方法。
【請求項６】
剛毛（３）の包囲面が、プラスチック材料の発泡により構造化されることを特徴とする、請求項１から５のいずれかに記載の方法。
【請求項７】
少なくとも１つの中心部と、前記中心部を同心円状に取囲む包囲面とを有する２構成要素剛毛において、包囲面のみがレーザ放射で構造化されることを特徴とする、請求項１から６のいずれかに記載の方法。
【請求項８】
包囲面が、包囲面材料の局部的な除去により中心部へと構造化されることを特徴とする、請求項７に記載の方法。
【請求項９】
剛毛包囲面の構造体が、剛毛断面のおよそ１０％の深さまで延びることを特徴とする、請求項１から８のいずれかに記載の方法。
【請求項１０】
所定の配置または取付けられた剛毛組の表面にある線（７、８、９、１３、１４、１５）に実質的に沿って配置された剛毛（３）の自由な端部を短くすることを特徴とする、請求項１から９のいずれかに記載の方法。
【請求項１１】
隣り合う剛毛（３）の自由な端部が、剛毛端部の段状の包囲面の表面（６）を形成するよう短くされることを特徴とする、請求項１から１０のいずれかに記載の方法。
【請求項１２】
剛毛（３）の個々の群（６）の自由な端部が短くされることを特徴とする、請求項１から１１のいずれかに記載の方法。
【請求項１３】
剛毛（３）の個々の群（１０、１１）の剛毛（３）の自由な端部が、平面でない包囲面の表面を形成するよう短くされることを特徴とする、請求項１から１２のいずれかに記載の方法。
【請求項１４】
所定の配置または取付けられた剛毛組で、外側の剛毛の包囲面のみが構造化されることを特徴とする、請求項１から１３のいずれかに記載の方法。
【請求項１５】
所定の配置または取付けられた剛毛組で、内側に配置された剛毛が、剛毛を分離および横方向に反らすことにより露出され、かつ前記剛毛の包囲面が構造化されることを特徴とする、請求項１から１４のいずれかに記載の方法。
【請求項１６】
レーザ放射を吸収する充填剤を有する剛毛（３）が、ブラシ製品を製造するのに用いられることを特徴とする、請求項１から１５のいずれかに記載の方法。
【請求項１７】
レーザ処理の際にもたらされる構造体（５）がプラスチック材料の色づけで視覚化されることを特徴とする、請求項１から１６のいずれかに記載の方法。
【請求項１８】
レーザ処理の際にもたらされる構造体（５）が、レーザ放射に反応して色を変える、剛毛（３）のプラスチック材料にある充填剤で視覚化されることを特徴とする、請求項１から１６のいずれかに記載の方法。
【国際調査報告】
2004508863.tif 000026
2004508863.tif 000027
2004508863.tif 000028
2004508863.tif 000029
2004508863.tif 000030
2004508863.tif 000031